(57)【要約】      （修正有）【課題】ランドセルなどの取り付け対象に取り付け可能であり、外力によって外れることやずり落ちることを効果的に防止することの可能な鍵ケースを提供する。【解決手段】ランドセルの肩ベルトに取り付け可能な鍵ケース１００は、鍵を収納する鍵収納部１１０と、肩ベルトが挿通される挿通部１２０と、肩ベルトに対して鍵収納部１１０が相対的に移動することを防止する面ファスナー部１３０とを備える。さらに、ランドセルのＤカンに取り付けるリング１５０を設けてもよい。肩ベルトを挿通する挿通部１１０を備えたことで、鍵ケース１００が外力によって外れることを防止できる。さらに、伸縮できる面ファスナー部１３０や、リング１５０を設けたことで、肩ベルトに取り付けた後に、ずり落ちることを防止できる。【選択図】図２
0003188700.tif 000002
【実用新案登録請求の範囲】
【請求項１】
取り付け対象に対して取り付け可能な鍵ケースであって、
鍵を収納する鍵収納部と、
前記取り付け対象が挿通される挿通部と、
前記取り付け対象に対して前記鍵収納部が相対的に移動することを防止する移動防止部と、
を備えたことを特徴とする、鍵ケース。
【請求項２】
前記移動防止部は、前記取り付け対象の周囲に巻かれて取り付けられる面ファスナーであり、前記面ファスナーは伸縮でき、前記取り付け対象に対して伸びた状態で取り付けられることを特徴とする、請求項１に記載の鍵ケース。
【請求項３】
前記移動防止部は、前記取り付け対象に設けられた部品に取り付けられることを特徴とする、請求項１に記載の鍵ケース。
【請求項４】
前記鍵収納部の最上部に、前記鍵を取り付けるための鍵取付部を設けたことを特徴とする、請求項１〜３のいずれかに記載の鍵ケース。
【請求項５】
前記鍵収納部の最奥部に、前記鍵を取り付けるための鍵取付部を設けたことを特徴とする、請求項１〜４のいずれかに記載の鍵ケース。
【請求項６】
前記取り付け対象は、ランドセルであることを特徴とする、請求項１〜５のいずれかに記載の鍵ケース。
【考案の詳細な説明】
【技術分野】
【０００１】
本考案は、ランドセルなどの取り付け対象に取り付け可能な鍵ケースに関する。
【背景技術】
【０００２】
鍵を収納する鍵ケースとして、ランドセルに取り付け可能な鍵ケースが知られている。従来の鍵ケースは、ランドセルの肩ベルトに付属している金具（Ｄカン・ナスカン）に掛けたりするものや、ランドセルの肩ベルトに面ファスナーなどで巻いて固着したりするものが一般的であった（参考として、例えば、特許文献１参照）。
【先行技術文献】
【特許文献】
【０００３】
【特許文献１】特開２００６−５１１８６号公報
【考案の概要】
【考案が解決しようとする課題】
【０００４】
しかし、鍵ケースを、ランドセルの肩ベルトに付属している金具（Ｄカン・ナスカン）に掛けるにしても、ランドセルの肩ベルトに面ファスナーでに固着するにしても、外力によって外れやすかったり、ずれたりしやすいという問題点があった。金具と面ファスナーを併用することも考えられるが、単に程度問題であり、外力によって外れたり、ずれたりする問題を本質的に解決するものではない。なお、この問題は、ランドセルに限らず、鍵ケースを取り付け可能なあらゆる取り付け対象に共通する問題である。
【０００５】
そこで、本考案は、このような問題に鑑みてなされたもので、その目的とするところは、ランドセルなどの取り付け対象に取り付け可能であり、外力によって外れたり、ずれたりすることを効果的に防止することの可能な、新規かつ改良された鍵ケースを提供することにある。
【課題を解決するための手段】
【０００６】
上記課題を解決するために、本考案によれば、取り付け対象に対して取り付け可能な鍵ケースであって、鍵を収納する鍵収納部と、前記取り付け対象が挿通される挿通部と、前記取り付け対象に対して前記鍵収納部が相対的に移動することを防止する移動防止部と、を備えたことを特徴とする、鍵ケースが提供される。なお、本考案の取り付け対象は、例えばランドセルである。
【０００７】
かかる考案によれば、取り付け対象が挿通される挿通部を備えたことで、鍵ケースに取り付け対象に挿通することができ（例えば、ランドセルの肩ベルトを挿通する）、鍵ケースが外力によって外れることを効果的に防止することができる。さらに、取り付け対象に対して鍵収納部が相対的に移動することを防止する移動防止部を設けたことで、鍵ケースを取り付け対象に取り付けた後に、鍵ケースがずれることを効果的に防止することが可能である。
【０００８】
前記移動防止部は、例えば、前記取り付け対象の周囲に巻かれて取り付けられる面ファスナーであり、前記面ファスナーは伸縮でき、前記取り付け対象に対して伸びた状態で取り付けられるようにしてもよい。面ファスナーを用いて、取り付け対象に対してきつく装着できるので、鍵ケースを取り付け対象に取り付けた後に、鍵ケースがずれることを効果的に防止することができる。
【０００９】
また、前記移動防止部は、前記取り付け対象に設けられた部品（例えば、ランドセルの肩ベルトに設けられたＤカンやナスカンなど）に取り付けられるようにしてもよい。このような移動防止部としては、金属やプラスチックなどのリングなどで構成することが可能である。このような移動防止部によっても、鍵ケースを取り付け対象に取り付けた後に、鍵ケースがずれることを効果的に防止することができる。
【００１０】
なお、移動防止部の形態を２つ例示したが、これらは排他的なものではなく、これら２つの形態の移動防止部を両方設けることも可能である。このようにして、取り付け対象が挿通される挿通部と併せて、鍵ケースを取り付け対象に対して、３段階で取り付けることが可能である。
【００１１】
また、鍵収納部の最上部に、前記鍵を取り付けるための鍵取付部を設けることが可能である。鍵収納部の最上部とは、例えば、鍵収納部に蓋を設ける場合、収納部の内部と蓋との境目の近傍部分とすることができる。鍵取付部は、例えば筒状の挿通部とすることができ、その挿通部に鍵の一部やキーホルダの一部を挿通することによって、鍵収納部に対して鍵を取り付けることができる。
【００１２】
鍵を取り付けるための鍵取付部は、鍵収納部の最奥部に設けるようにしてもよい。鍵取付部は、例えば筒状の挿通部とすることができ、その挿通部に鍵の一部やキーホルダの一部を挿通することによって、鍵収納部に対して鍵を取り付けることができる。
【００１３】
なお、鍵取付部の形態を２つ例示したが、これらは排他的なものではなく、これら２つの形態の鍵取付部を両方設けることも可能である。このようにして、鍵ケースに複数の鍵を収納することが可能である。また、鍵の取り付け先を変えることで、複数種類の鍵を容易に区別することも可能である。
【考案の効果】
【００１４】
本考案によれば、ランドセルなどの取り付け対象に取り付け可能であり、外力によって外れたり、ずれたりすることを効果的に防止することの可能な、鍵ケースを提供することが可能である。なお、本考案のその他の効果については、以下の考案を実施するための形態の項でも説明する。
【図面の簡単な説明】
【００１５】
【図１】鍵ケースをランドセルの肩ベルトに取り付けた状態を示す図である。
【図２】鍵ケースを示す図である。
【図３】鍵ケースの収納部を示す図である。
【図４】収納部の最上部に鍵を取り付けた状態を示す図である。
【図５】収納部の最奥部に鍵を取り付けた状態を示す図である。
【図６】鍵ケースを挿通部と面ファスナー部でランドセルの肩ベルトに取り付けた状態を示す図である。
【考案を実施するための形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
以下では、鍵ケースの取り付け対象の一例として、ランドセルを例に挙げて説明する。
図１は、鍵ケースをランドセルの肩ベルトに取り付けた状態を示す図である。
【００１８】
本実施形態に係る鍵ケース１００は、図１に示したように、ランドセル４００の肩ベルト４１０に取り付けられる。図１の例では、ランドセルの肩ベルト４１０にＤカン４２０が取り付けられている。鍵ケース１００は、このＤカン４２０に取り付けられている。
【００１９】
以下に、本実施形態の特徴的な構成について、図２〜図６を参照しながら説明する。
図２は、本実施形態に係る鍵ケース１００を裏側から見た図である。鍵ケース１００は、図２に示したように、鍵を収納する収納部１１０と、ランドセル４００の肩ベルト４１０が挿通される挿通部１２０と、面ファスナー部１３０と、筒状の突起部１４０と、リング１５０を備えて構成される。
【００２０】
（挿通部１２０）
挿通部１２０は、図２に示したように、その両端が鍵収納部１１０に縫い付けられている。挿通部１２０と鍵収納部１１０との間で、肩ベルト４１０を挿通する筒状部分が形成されている。一般に、ランドセルの肩ベルトは、肩ベルトの長さ調整等のために、バックル構造などで取り外し可能になっている。そこで、肩ベルト４１０の一端を取り外して、肩ベルト４１０を挿通部１２０に挿通する。そして、肩ベルト４１０をランドセル４００に取り付けることにより、鍵ケース１００がランドセルの肩ベルト４１０から外力によって外れることを防止することができる。さらに、挿通部１２０をゴムなどの伸縮自在な素材で構成することもでき、これにより、挿通部１２０の弾性力によって、強固に取り付けることができる。
【００２１】
（面ファスナー部１３０）
面ファスナー部１３０は、以下に説明するように、鍵ケース１００が、ランドセルの肩ベルト４１０に対して相対的に移動することを防止するためのものである。面ファスナー部１３０は、収納部１１０に縫い付けられる縫付部１３２と、面ファスナーのオス１３４と、面ファスナーのメス１３６を備えて構成されている。
【００２２】
面ファスナー部１３０は、ゴムなどの伸縮自在な素材で構成されている。面ファスナー部１３０の長さは、縮んでいるときはランドセルの肩ベルト４１０の周囲より短い長さであり、伸びているときはランドセルの肩ベルト４１０の周囲より長い長さである。このような長さにすることで、面ファスナー部１３０をランドセルの肩ベルト４１０の周囲に巻いて取り付けるときに、伸びた状態で取り付けられる。このため、面ファスナー部１３０を肩ベルト４１０に取り付けたときに、面ファスナー部１３０の弾性力によって、肩ベルト４１０に強固に取り付けることができる。このようにして、鍵ケース１００がずり落ちることを効果的に防止することができる。なお、上記の面ファスナー部１３０の長さは一例に過ぎない。特に、ランドセルの肩ベルト４１０の太さは様々であるので、面ファスナー部１３０が縮んでいるときの長さは、ランドセルの肩ベルト４１０の周囲より長くなることもある。
【００２３】
筒状の突起１４０は、鍵収納部１１０にリング１５０を取り付けるためのものである。リング１５０は、図１に示したように、ランドセルのＤカン４２０に取り付けることができる。リング１５０は、例えば金属やプラスティックなどで構成することができ、いわゆるダブルリングと称されるものとすることができる。または、ナスカンフックを利用することもできる。
【００２４】
図３は、本実施形態に係る鍵ケース１００を表側から見た図であり、鍵ケースの収納部１１０の蓋を開けた状態を示している。収納部１１０は、図３に示したように、蓋１６０と、収納部１１０と蓋１６０との境目の部分（収納部１１０の最上部）に設けられ、鍵を取り付けるための鍵取り付け部１７０と、蓋１６０が不用意に開かないようにするための面ファスナー１８０、１９０を備えて構成されている。
【００２５】
図４は、収納部１１０の最上部に設けられた鍵取り付け部１７０に、キーホルダ２００を介して鍵Ｋを取り付けた状態を示している。図４に示した一例では、キーホルダ２００がリング２１０を備えており、リング２１０が鍵取り付け部１７０に取り付けられている。キーホルダ２００は、いわゆるコイルストラップ式のものであり、伸縮自在になっている。このようにして、鍵Ｋを鍵ケース１００から伸ばすことができる。なお、キーホルダ２００は、鍵Ｋを伸縮自在にする構成であれば、コイルストラップ式のものに限定されず、例えばゴムなどでもよい。また、リング２１０は、キーホルダ２００の部品ではなく、鍵ケース１００の部品であってもよい。
【００２６】
図５は、収納部１１０の内部を透視した状態を示している。収納部１１０の内部の最奥部には、図５に示したように、鍵を取り付けるための鍵取り付け部３００が設けられている。図５に示した一例では、この鍵取り付け部３００にリング３１０が取り付けられており、そのリング３１０に、リール式のキーホルダ３２０が取り付けられている。このようにして、鍵Ｋを鍵ケース１００から伸ばすことができる。なお、リング３１０は、鍵ケース１００の部品であってもよく、リール式のキーホルダ３２０の部品であってもよい。
【００２７】
以上、図４、図５を参照しながら、鍵取り付け部１７０、３００の形態を説明した。これら鍵取り付け部１７０、３００は、いずれか一方でもよく、あるいは両方設けることも可能である。鍵取り付け部１７０、３００を両方設けることにより、鍵ケース１００に２つの鍵を収納することも可能である。２つの鍵取り付け部１７０、３００にそれぞれ別の鍵を取り付けることで、鍵を区別することが容易になるという効果もある。なお、図４のように鍵を最上部に取り付けた際に、キーホルダをリール式にしてもよく、また、図５のように鍵を収納部１１０の最奥部に取り付けた際に、キーホルダをコイルストラップ式にしてもよいことは言うまでもない。
【００２８】
以上、図２〜図５を参照しながら、鍵ケース１００の構成について説明した。次いで、鍵ケース１００の取り付け方について、図６及び前出の図１を参照しながら説明する。図６は、ランドセルの肩ベルト４１０に鍵ケース１００が取り付けられた状態を、肩ベルト４１０の裏側から見た図である。
【００２９】
まず、ランドセルの肩ベルト４１０の一端を外して、図６に示したように、肩ベルト４１０を鍵ケース１００の挿通部１２０に挿通する。さらに、伸縮自在な面ファスナー部１３０を、肩ベルト４１０の周囲に巻いて、面ファスナー部１３０を伸ばした状態で、面ファスナーを固着する。面ファスナー部１３０は、弾性力により肩ベルト４１０に強固に固定される。このようにして、鍵ケース１００を肩ベルト４１０に対して２か所で取り付けることが可能である。
【００３０】
図６に示したように２か所で取り付けただけでも、上述したように、鍵ケース１００が肩ベルト４１０から外れることを防止でき、さらに、鍵ケース１００がずり落ちることを効果的に防止できる。さらに、図１に示したように、鍵ケース１００のリング１５０をこのＤカン４２０に取り付けることも可能である。このようにして、鍵ケース１００を肩ベルト４１０に対して２か所で取り付けることが可能である。
【００３１】
以上説明したように、本実施形態によれば、鍵ケースの挿通部１２０にランドセルの肩ベルト４１０を挿通させることで、肩ベルト４１０から鍵ケース１００が外れることを防止できる。さらに、伸縮自在な面ファスナー部１３０やリング１５０で取り付けることで、鍵ケース１００がランドセル４００に対して相対的に移動することを防止できる。
【００３２】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３３】
例えば、上記実施形態では、鍵ケースがランドセルに対して相対的に移動することを防止するために、伸縮自在な面ファスナー部と、リングの両方を設ける構成について説明したが、本発明はこれに限定されず、面ファスナー部又はリングのいずれか一方でもよい。特に、ランドセルにＤカンやナスカンが設けられていない場合でも、挿通部と面ファスナー部の２種類で取り付けられるので、鍵ケースがランドセルから外れること及びずり落ちることを効果的に防止することが可能である。
【００３４】
また、上記実施形態では、ランドセルを例に挙げて説明したが、本発明はこれに限定されない。鍵ケースの取り付けることの可能なあらゆる取り付け対象に対して、本発明の鍵ケースは適用可能である。
【産業上の利用可能性】
【００３５】
本考案は、ランドセルなどの取り付け対象に取り付け可能な鍵ケースに利用可能である。
【符号の説明】
【００３６】
１００  鍵ケース
１１０  鍵収納部
１２０  挿通部
１３０  面ファスナー部
１３２  縫い付け部
１３４  面ファスナーのオス
１３６  面ファスナーのメス
１４０  突起
１５０  リング
１６０  蓋
１７０  鍵取り付け部
１８０  面ファスナー
１９０  面ファスナー
２００  コイルストラップ式のキーホルダ
２１０  リング
３００  鍵取り付け部
３１０  リング
３２０  リール式のキーホルダ
４００  ランドセル
４１０  肩ベルト
４２０  Ｄカン
【図１】
0003188700.tif 000003
【図２】
0003188700.tif 000004
【図３】
0003188700.tif 000005
【図４】
0003188700.tif 000006
【図５】
0003188700.tif 000007
【図６】
0003188700.tif 000008
【手続補正書】
【提出日】平成25年11月22日(2013.11.22)
【手続補正１】
【補正対象書類名】実用新案登録請求の範囲
【補正対象項目名】全文
【補正方法】変更
【補正の内容】
【実用新案登録請求の範囲】
【請求項１】
取り付け対象に対して取り付け可能な鍵ケースであって、
鍵を収納する鍵収納部と、
前記取り付け対象が挿通される挿通部と、
前記取り付け対象に対して前記鍵収納部が相対的に移動することを防止する移動防止部と、
を備え、
前記移動防止部は、前記取り付け対象の周囲に巻かれて取り付けられる面ファスナーであり、前記面ファスナーは伸縮でき、前記取り付け対象に対して伸びた状態で取り付けられることを特徴とする、鍵ケース。
【請求項２】
取り付け対象に対して取り付け可能な鍵ケースであって、
鍵を収納する鍵収納部と、
前記取り付け対象が挿通される挿通部と、
前記取り付け対象に対して前記鍵収納部が相対的に移動することを防止する移動防止部と、
を備え、
前記移動防止部は、前記取り付け対象に設けられた金具に取り付けられることを特徴とする、鍵ケース。
【請求項３】
前記金具は、Ｄカン又はナスカンであることを特徴とする、請求項２に記載の鍵ケース。
【請求項４】
前記鍵収納部の最上部に、前記鍵を取り付けるための鍵取付部を設けたことを特徴とする、請求項１〜３のいずれかに記載の鍵ケース。
【請求項５】
前記鍵収納部の最奥部に、前記鍵を取り付けるための鍵取付部を設けたことを特徴とする、請求項１〜４のいずれかに記載の鍵ケース。
【請求項６】
前記取り付け対象は、ランドセルであることを特徴とする、請求項１〜５のいずれかに記載の鍵ケース。